(57)【要約】      （修正有）【課題】把手付きバッグに蓋付き小型バッグを着脱可能に保持することで、収納物の大きさに応じて把手付きバッグおよび蓋付き小型バッグを使い分けて、使い勝手を向上させることができる多機能バッグを提供する。【解決手段】把手付きバッグ本体２１と、一対の第一取付金具２３と、複数の第二取付金具と、を有する把手付きバッグ２と、一対の第一取付金具２３に取付けると肩掛けバッグの肩掛け部となり、複数の第二取付金具に取付けると背負いバッグの背負い部となるベルト４と、を備える多機能バッグ１であって、把手付きバッグ２には、把手付きバッグ２よりも小さい蓋付き小型バッグ３が着脱可能に保持されている。【選択図】図１
0003202121.tif 000002
【実用新案登録請求の範囲】
【請求項１】
横長の袋状をしており、短手方向の前後面に一対の把手が形成された把手付きバッグ本体と、前記把手付きバッグ本体の長手方向の左右端部に形成された一対の第一取付金具と、前記把手付きバッグ本体の後面における上側中央位置および下側左右対称位置に形成された複数の第二取付金具と、を有する把手付きバッグと、
前記把手付きバッグの前記第一取付金具および前記第二取付金具に着脱可能に形成され
、前記一対の第一取付金具に取付けると肩掛けバッグの肩掛け部となり、前記複数の第二取付金具に取付けると背負いバッグの背負い部となるベルトと、を備える多機能バッグであって、
前記把手付きバッグには、前記把手付きバッグよりも小さい蓋付き小型バッグが着脱可能に保持されていることを特徴とする多機能バッグ。
【請求項２】
前記把手付きバッグに対する前記蓋付き小型バッグの保持は、前記把手付きバッグ本体の後面内側に形成された収納部で前記蓋付き小型バッグを収納するとともに、前記蓋付き小型バッグの蓋部を前記把手付きバッグ本体の前面に係止させることで行うことを特徴とする請求項１に記載の多機能バッグ。
【請求項３】
前記蓋付き小型バッグは、さらに、
前記蓋付き小型バッグの背面における左右対称位置に形成され、前記ベルトが取付可能な一対の第三取付金具を有することを特徴とする請求項１又は２に記載の多機能バッグ。
【考案の詳細な説明】
【技術分野】
【０００１】
本考案は、使用用途に応じてバッグの形態を変更できる多機能バッグに関する。
【背景技術】
【０００２】
従来から、ハンドバックなどの把手付きバッグ、ショルダーバッグなどの肩掛けバッグおよびリュックサックなどの背負いバッグに変形できる多機能バッグがある。この多機能バッグは、フォーマル感を出す場合には把手付きバッグとし、フォーマル感よりも携帯感を良好にする場合には肩掛けバッグや背負いバッグに変更できるため、多くの需要者に好まれている。近年、使用用途に応じてバックの形態を変更できる多機能バッグが鋭意研究されている。
【０００３】
例えば、特許文献１には、図１４に示すように、把手１０２を設けたバッグ本体１０１の背面に折畳み可能なリュックサック部１０８を設けるとともに、このリュックサック部１０８の両側、上端、およびバッグ本体１０１の両側のそれぞれに連結具１０５を設けて、リュックサック部１０８の引き延ばしや各連結具１０５にバンド１０６を付け替えることで、ポーチ、ショルダーバッグ、リュックサック、グローブバッグ、ハンドバッグおよびセカンドバッグの６種類に変更できる多機能バッグ１００が開示されている。
【先行技術文献】
【特許文献】
【０００４】
【特許文献１】実開平６−５７２２４号公報
【考案の概要】
【考案が解決しようとする課題】
【０００５】
しかし、特許文献１に開示された多機能バッグ１００では、図１４に示すように、単にリュックサック部１０８の引き伸ばしの有無による収納容量の変更のみに過ぎず、収納物の大きさに応じた変形ができず、使い勝手が悪い問題があった。
【０００６】
本考案は、上述した事情に鑑みてなされるものであって、把手付きバッグに蓋付き小型バッグを着脱可能に保持することで、収納物の大きさに応じて把手付きバッグおよび蓋付き小型バッグを使い分けて、使い勝手を向上させることができる多機能バッグを提供することを目的とする。
【課題を解決するための手段】
【０００７】
上記課題を解決するためになされた請求項１に記載の考案は、横長の袋状をしており、短手方向の前後面に一対の把手が形成された把手付きバッグ本体と、前記把手付きバッグ本体の長手方向の左右端部に形成された一対の第一取付金具と、前記把手付きバッグ本体の後面における上側中央位置および下側左右対称位置に形成された複数の第二取付金具と、を有する把手付きバッグと、前記把手付きバッグの前記第一取付金具および前記第二取付金具に着脱可能に形成され、前記一対の第一取付金具に取付けると肩掛けバッグの肩掛け部となり、前記複数の第二取付金具に取付けると背負いバッグの背負い部となるベルトと、を備える多機能バッグであって、前記把手付きバッグには、前記把手付きバッグよりも小さい蓋付き小型バッグが着脱可能に保持されていることを特徴とする。
【０００８】
請求項１に記載の考案によれば、蓋付き小型バッグを把手付きバッグに着脱可能に保持することで、収納容量が異なる把手付きバッグおよび蓋付き小型バッグを使い分けて、使い勝手を向上させることができる。また、請求項１に記載の考案によれば、把手付きバッグ本体の第一取付金具および第二取付金具にベルトを付け替えや取り外しすることで、多機能バッグを、背負いバッグ、肩掛けバッグ、把手付きバッグ、蓋付き小型バッグの少なくとも４つの形態に変形することができる。
【０００９】
請求項２に記載の考案は、請求項１の多機能バッグであって、前記把手付きバッグに対する前記蓋付き小型バッグの保持は、前記把手付きバッグ本体の後面内側に形成された収納部で前記蓋付き小型バッグを収納するとともに、前記蓋付き小型バッグの蓋部を前記把手付きバッグ本体の前面に係止させることで行うことを特徴とする。
【００１０】
請求項２に記載の考案によれば、蓋付き小型バッグを収納部内に収納するとともに、蓋付き小型バッグの蓋部で把手付きバッグ本体の前面に係止することで、把手付きバッグに対して蓋付き小型バッグを簡単に着脱可能とするとともに、蓋付き小型バッグを把手付きバッグと一体化させて、把手付きバッグのみや蓋付き小型バッグのみとは異なる新たなデザイン性を持たせることができる。
【００１１】
請求項３に記載の考案は、請求項１又は２の多機能バッグであって、前記蓋付き小型バッグの背面における左右対称位置に形成され、前記ベルトが取付可能な一対の第三取付金具を有することを特徴とする
【００１２】
請求項３に記載の考案によれば、蓋付き小型バッグに一対の第三取付金具を形成することで、多機能バッグを小型肩掛けバッグにも変形可能として、少なくとも５つの形態に変形することができる。
【考案の効果】
【００１３】
本考案によれば、把手付きバッグに蓋付き小型バッグを着脱可能に保持することで、収納物の大きさに応じて把手付きバッグおよび蓋付き小型バッグを使い分けて、使い勝手を向上させることができる多機能バッグを提供することができる。
【図面の簡単な説明】
【００１４】
【図１】第１実施形態において背負いバッグとした多機能バッグを示す概略図である。
【図２】図１の多機能バッグを示す背面図である。
【図３】図１の多機能バッグを展開した展開図である。
【図４】図３の把手付きバッグの概略図である。
【図５】図４の把手付きバッグの上方斜視図である。
【図６】図４の把手付きバッグの背面図である。
【図７】図３の蓋付き小型バッグの概略図である。
【図８】図７の蓋付き小型バッグの背面図である。
【図９】蓋付き小型バッグを把手付きバッグに一体化させた多機能バッグの概略図である。
【図１０】図９の多機能バッグの背面図である。
【図１１】図９の多機能バッグを肩掛けバッグとした概略図である。
【図１２】図７の蓋付き小型バッグを小型肩掛けバッグとした概略図である。
【図１３】図１２の蓋付き小型バッグの背面図である。
【図１４】従来例の多機能バッグを示す側面図である。
【考案を実施するための形態】
【００１５】
以下、本考案を図面に示す実施形態に基づいて説明する。
（第１実施形態）
本考案の多機能バッグ１に関して、図１乃至１３を用いて説明する。
図１は第１実施形態において背負いバッグとした多機能バッグを示す概略図であり、図２は図１の多機能バッグを示す背面図であり、図３は図１の多機能バッグを展開した展開図であり、図４は図３の把手付きバッグの概略図であり、図５は図４の把手付きバッグの上方斜視図であり、図６は図４の把手付きバッグの背面図であり、図７は図３の蓋付き小型バッグの概略図であり、図８は図７の蓋付き小型バッグの背面図であり、図９は蓋付き小型バッグを把手付きバッグに一体化させた多機能バッグの概略図であり、図１０は図９の多機能バッグの背面図であり、図１１は図９の多機能バッグを肩掛けバッグとした概略図であり、図１２は図７の蓋付き小型バッグを小型肩掛けバッグとした概略図であり、図１３は図１２の蓋付き小型バッグの背面図である。
なお、多機能バッグ１の幅方向（長手方向）をｘ軸、多機能バッグ１の奥行き方向（短手方向）をｙ軸、ｘ軸およびｙ軸に直交する高さ方向をｚ軸とする。
【００１６】
本実施形態の多機能バッグ１は、背中に背負う背負いバッグ(図１、２)、手掴んだり手首に掛ける把手付きバッグ２（図４乃至６）、手で掴む蓋付き小型バッグ３（図７、８）、肩に掛ける肩掛けバッグ（図１１）および肩に掛ける小型肩掛けバッグ（図１２、１３）の少なくとも５つの形態に変更できるものである。
【００１７】
この多機能バッグ１は、図３に示すように、物品を収納する把手付きバッグ２と、把手付きバッグ２よりも大きさが小さい蓋付き小型バッグ３と、把手付きバッグ２又は蓋付き小型バッグ３に取付ける一対のベルト４と、を備える。
【００１８】
把手付きバッグ２は、図４に示すように、例えば片手で掴んだり手首に掛けて持ち運ぶハンドバッグなどである。把手付きバッグ２は、図４乃至６に示すように、物品を収納する把手付きバッグ本体２１と、把手付きバッグ本体２１に形成された第一被係止具（第一取付金具）２３および第二被係止具（第二取付金具）２４と、を有する。
【００１９】
図４乃至６に示すように、把手付きバッグ本体２１は、例えば横長の袋状をしたものであり、例えば本革、合成皮革、布、ビニール、ナイロン等からなる。把手付きバッグ本体２１の短手方向における前後面には、略Ｕ字形状をした一対の把手２１aが形成されており、前面には端部を回動自在とする凸状のバッグ側係止具２１ｂが形成されている。一対の把手２１aの一方には、一対の把手２１aを束ねる結束バンド２１ｃが取付けられている。
【００２０】
結束バンド２１ｃは、一対の把手２１aを束ねることで、図４、６で示すように、把手付きバッグ２を片手で掴みやすくかつ手首に掛けやすくする。
【００２１】
図６に示すように、把手付きバッグ本体２１の後面には、幅方向に一対の外側収納部２１ｄが形成されており、物品を複数のカ所に分けて収納できるように形成されている。
【００２２】
図５に示すように、把手付きバッグ本体２１における後面内側には、蓋付き小型バッグ３を収納する内側収納部（収納部）２２が形成されている。内側収納部２２の前側には、横長の内側係止孔２２aが形成されている。
【００２３】
図４乃至６に示すように、第一被係止具２３および第二被係止具２４は、例えば略Ｄ字形状をしたリング状のものであり、例えば、プラスチックや鋼等で形成されている。第一被係止具２３は、把手付きバッグ本体２１の長手方向の左右両端部に一対形成されている。第二被係止具２４は、把手付きバッグ本体２１の後面における上側中央位置および下側左右対称位置に複数形成されている。
【００２４】
また、図５に示すように、把手付きバッグ本体２１における後面内側の上部には、第二被係止具２４を挟むように一対の凹状の雌側嵌合部２２ｂが形成されている。
【００２５】
蓋付き小型バッグ３は、例えば本革、合成皮革、布、ビニール、ナイロン等からなり、例えば片手で掴んで持ち運びするクラッチバッグなどである。この蓋付き小型バッグ３は、図７および８で示すように、把手付きバッグ２よりも大きさが小さい、横長の袋状をした小型バッグ本体３１と、小型バッグ本体３１に一体的に形成され、小型バッグ本体３１の開口部３１ｃを開閉する蓋部３２と、を有する。
【００２６】
図８に示すように、小型バッグ本体３１の背面には、左右対称位置に凸状の一対の雄側嵌合部３１aが形成されており、一対の雌側嵌合部２２ｂに嵌合することで、蓋付き小型バッグ３を把手付きバッグ２内に固定する。
【００２７】
また、図８に示すように、小型バッグ本体３１の背面における一対の雄側嵌合部３１aの外側にも、左右対称の位置に一対の第三被係止具（第三取付金具）３３が形成されている。第三被係止具３３は、第一被係止具２３および第二被係止具２４と同様に、例えば略Ｄ字形状をしたリング状のものであり、例えばプラスチックや鋼等で形成されている。
【００２８】
さらに、図８に示すように、小型バッグ本体３１の背面には、小型バッグ側収納部３１ｄが形成されており、蓋付き小型バッグ３についても複数のカ所に分けて物品を収納できるように形成されている。
【００２９】
図７に示すように、小型バッグ本体３１の前面には、バッグ側係止具２１ｂと同様に、端部を回動自在とした凸状の小型バッグ側係止具３１ｂが形成されている。小型バッグ側係止具３１ｂは、蓋部３２における横長の蓋側係止孔３２aに係止することで、小型バッグ本体３１の開口部３１ｃを蓋部３２で閉止状態とする。
【００３０】
また、図７に示すように、蓋側係止孔３２aは、内側係止孔２２aと同様の構成をしており、小型バッグ側係止具３１ｂが内側係止孔２２aに係止可能に形成されている。すなわち、小型バッグ側係止具３１ｂは、蓋側係止孔３２aに係止して、蓋部３２を小型バッグ本体３１に閉止させる役割の他に、内側係止孔２２aに係止して、蓋付き小型バッグ３を内側収納部２２に確実に固定する役割を果たすことができる。
【００３１】
図７に示すように、蓋部３２には、蓋側係止孔３２aを挟むように一対の切欠き部３４が形成されている。この切欠き部３４は、蓋付き小型バッグ３の全体的なデザインを向上させるとともに、蓋付き小型バッグ３を把手付きバッグ２１に取り付けた際に、把手２１aの基部が蓋部３２の邪魔にならないようにして蓋付き小型バッグ３を把手付きバッグ２１に一体化させる。
【００３２】
ベルト４は、図２に示すように、例えば長さが調節可能に形成された紐状のものであり、例えば本革、合成皮革、布、ビニール、ナイロン等からなる。ベルト４の両端部には、第一被係止具２３、第二被係止具２４および第三被係止具３３に着脱可能に係止する係止具４１が形成されている。
【００３３】
ベルト４は、一対のベルト４の各係止具４１を複数の第二被係止具２４に係止して、図１、２の背負いバッグの背負い部となり、ベルト４の両端部の各係止具４１を一対の第一被係止具２３に係止して、図１１の肩掛けバッグの肩掛け部となり、また、ベルト４の両端部の各係止具４１を一対の第三被係止具３３に係止して、図１２、１３の小型肩掛けバッグの肩掛け部となる。
【００３４】
すなわち、ベルト４を第一被係止具２３、第二被係止具２４および第三被係止具３３に付け替えることで、簡単に多機能バッグ１を、背負いバッグ、肩掛けバッグおよび小型肩掛けバッグに変形することができる。
【００３５】
また、ベルト４を多機能バッグ１から取り外すことで、多機能バッグ１を図９、１０で示す把手付きバッグ２や図７、８で示す蓋付き小型バッグ３に変形することができる。
【００３６】
このようにして、本実施形態の多機能バッグ１は、一対のベルト４を第一被係止具２３、第二被係止具２４および第三被係止具３３に付け替えや取り外しを行うだけで、簡単に背負いバッグ、肩掛けバッグ、小型肩掛けバッグ、把手付きバッグ２および蓋付き小型バッグ３の少なくとも５つの形態に変形することができる。
【００３７】
本実施形態の多機能バッグ１は、把手付きバッグ２の内側収納部２２内に蓋付き小型バッグ３を収納することで、蓋付き小型バッグ３を把手付きバッグ２に着脱自在に保持できる。
【００３８】
本実施形態の多機能バッグ１は、把手付きバッグ２内に蓋付き小型バッグ３を着脱自在に保持することで、収納する物品の大きさに合わせて、収納容量が大きい把手付きバッグ２や、収納容量が少ない蓋付き小型バッグ３などに使い分けることができ、使い勝手を向上させることができる。
【００３９】
また、本実施形態の多機能バッグ１は、蓋付き小型バッグ３を内側収納部２２内に収納するとともに、蓋付き小型バッグ３の蓋部３２を把手付きバッグ２の前面に係止させることで、把手付きバッグ２に対して蓋付き小型バッグ３の位置を固定するとともに、蓋付き小型バッグ３を把手付きバッグ２に一体化させることができる。この構成により、本実施形態の多機能バッグ１は、把手付きバッグ２のみ、または蓋付き小型バッグ３のみとは異なる、図９や１０のような新たなデザイン性を持たせることができる。
【００４０】
さらに、本実施形態の多機能バッグ１は、内側収納部２２内に蓋付き小型バッグ３を収納した際に、蓋付き小型バッグ３の雄側嵌合部３１aを内側収納部２２内の雌側嵌合部２２ｂに嵌合させるとともに、小型バッグ側係止具３１ｂを内側係止孔２２aに係止させることで、内側収納部２２内に対して蓋付き小型バッグ３の位置をより確実に固定することができる。
【００４１】
（他の実施形態）
上記第１実施形態の多機能バッグ１において、蓋付き小型バッグ３を把手付きバッグ２内の内側収納部２２に収納するとともに、蓋付き小型バッグ３の蓋部３２を把手付きバッグ本体２１の前面に係止させるものとして説明したが、特にこれに限られるものではなく、蓋付き小型バッグ３が把手付きバッグ２に対して着脱自在に形成されていれば良い。例えば、蓋付き小型バッグ３の雄側嵌合部３１aを把手付きバッグ２内の雌側嵌合部２２ｂに嵌合するだけで、蓋付き小型バッグ３を把手付きバッグ２内に着脱自在に固定する構成としても良い。
【００４２】
上記第１実施形態の多機能バッグ１において、蓋付き小型バッグ３の背面に一対の第三被係止具３３が形成されているものとして説明したが、特にこれに限られるものではなく、第三被係止具３３を設けなくても良い。この場合、蓋付き小型バッグ３の背面には、雄側嵌合部３１aのみとなるため、蓋付き小型バッグ３のデザインをよりスッキリとさせることができる。
【００４３】
この場合においても把手付きバッグ２には、一対の第一被係止具２３および複数の第二被係止具２４が形成されているため、ベルト４の取付けや取外しを行うことで、背負いバッグ、肩掛けバッグ、小型肩掛けバッグ、把手付きバッグ２、蓋付き小型バッグ３の少なくとも４つの形態に変形することができる。
【００４４】
同様に、上記第１実施形態において、把手付きバッグ２の背面に一対の外側収納部２１ｄが形成されており、小型バッグ側収納部３１ｄの背面に小型バッグ側収納部３１ｄが形成されているものとして説明したが、特にこれに限られるものではなく、外側収納部２１ｄおよび小型バッグ側収納部３１ｄを省略する構成としても良い。
【００４５】
また、上記第１実施形態の多機能バッグ１において、蓋付き小型バッグ３の背面には一対の雄側嵌合部３１aが形成されるとともに、内側収納部２２内には一対の雌側嵌合部２２ｂが形成されているものとして説明したが、特にこれに限られるものではない。すなわち、蓋付き小型バッグ３を内側収納部２２に収納することで、内側収納部２２に対する蓋付き小型バッグ３の位置を固定できれば、特に蓋付き小型バッグ３および内側収納部２２のそれぞれに雄側嵌合部３１aおよび雌側嵌合部２２ｂを設けなくても良い。
【００４６】
さらに、上記第１実施形態の多機能バッグ１において、第一被係止具２３を把手付きバッグ本体２１の長手方向の左右端部に形成されるものとして説明したが、把手付きバッグ本体２１の背面における左右対称位置に形成されていても良い。
【００４７】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００４８】
１…多機能バッグ
２…把手付きバッグ
２１…把手付きバッグ本体      ２１a…把手      ２１b…バッグ側係止具      ２１ｃ…結束バンド      ２１ｄ…外側収納部    ２２…内側収納部（収納部）      ２２a…内側係止孔      ２２ｂ…雌側嵌合部    ２３…第一被係止具（第一取付金具）    ２４…第二被係止具（第二取付金具）
３…蓋付き小型バッグ
３１…小型バッグ本体      ３１a…雄側嵌合金具      ３１ｂ…小型バッグ側係止具      ３１ｃ…開口部      ３１ｄ…小型バッグ側収納部    ３２…蓋部      ３２a…蓋側係止孔    ３３…第三被係止具（第三取付金具）    ３４…切欠き部
４…ベルト    ４１…係止具
【図１】
0003202121.tif 000003
【図２】
0003202121.tif 000004
【図３】
0003202121.tif 000005
【図４】
0003202121.tif 000006
【図５】
0003202121.tif 000007
【図６】
0003202121.tif 000008
【図７】
0003202121.tif 000009
【図８】
0003202121.tif 000010
【図９】
0003202121.tif 000011
【図１０】
0003202121.tif 000012
【図１１】
0003202121.tif 000013
【図１２】
0003202121.tif 000014
【図１３】
0003202121.tif 000015
【図１４】
0003202121.tif 000016